(57)【要約】【課題】口腔および歯の健康検査器の構造を提供する。【解決手段】本考案はユーザーが自ら口腔及び歯の健康状態をチェックできる検査器である。少なくとも一本の連結棒及び少なくとも一つの霧防止反射鏡セットの検視本体を含み、少なくとも一つの照射ライトセットによって構成する。該霧防止反射鏡セットを通じて、口腔及び歯の状況の映像をユーザーの目に反射することで、自分で口腔及び歯の健康状態をチェックすることができる。【選択図】  図1
0003136096.tif 000002
【実用新案登録請求の範囲】
【請求項１】
検視本体及び照射ライトセットを含み、
該検視本体は、少なくとも一本の連結棒及び、前記連結棒の片端にそれぞれ連結する少なくとも一つの第一霧防止反射鏡と、少なくとも一つの第二霧防止反射鏡を含み、
該照射ライトセットは、該検視本体に設置し、観察したい口腔及び歯をの方向を照射する少なくとも一つの照射ライトと、連結棒に設置する少なくとも一つのバッテリー及び少なくとも一つのスイッチを具有することを特徴とする口腔及び歯の健康検査器。
【請求項２】
前記連結棒は、固定した長さ、または伸縮できる或いは湾曲できるものであることを特徴とする請求項1記載の口腔及び歯の健康検査器。
【請求項３】
前記照射ライトは該連結棒の表面或いは中空の内部に設置することを特徴とする請求項1記載の口腔及び歯の健康検査器。
【請求項４】
前記照射ライトは該第一霧防止反射鏡に設置することを特徴とする請求項1記載の口腔及び歯の健康検査器。
【請求項５】
前記連結棒と霧防止反射鏡セットの連結は、回転式或いは固定式にすることができることを特徴とする請求項1記載の口腔及び歯の健康検査器。
【請求項６】
前記連結棒と該霧防止反射鏡セットの連結は、分解可能或いは固定タイプの組立であることを特徴とする請求項1記載の口腔及び歯の健康検査器。
【考案の詳細な説明】
【技術分野】
【０００１】
本考案はユーザーが自ら口腔及び歯の状態をチェックできる口腔及び歯の健康検査器の構造に関する。
【背景技術】
【０００２】
従来技術の口腔及び歯の健康検査器は、握り手と反射鏡を具有し、歯医者がライトと合わせて患者の口腔及び歯のチェックを行う。
【０００３】
口腔及び歯は自覚症状があってから歯医者に行くことが多いため、患者は治療のゴールデンタイムを逸してしまうことが多い。定期的に歯医者に通い、公知の口腔及び歯の健康検査器で口腔及び歯を検査するのは、口腔及び歯の問題を見つけやすいが、随時チェックし、即座に異常を見つけるのは難しい。従って上述の技術を改善する必要があった。
【特許文献１】特開２００４−６５９９４号公報
【考案の開示】
【考案が解決しようとする課題】
【０００４】
本考案の目的は、ユーザーが自ら口腔及び歯の健康状態をチェックできる口腔及び歯の健康検査器の構造を提供することにある。
【課題を解決するための手段】
【０００５】
前記課題を解決するために、本考案は口腔及び歯の健康検査器の構造を提供する。検査器の中にライトをつけ、反射鏡を通じて口腔及び歯の健康状態が見え、便利且つ早めに自分の口腔及び歯の健康状態を発見することで、適切な治療などを行うことができ、個人の口腔及び歯をベストな健康状態に保つことができる。
【考案の効果】
【０００６】
本考案はライトをつけたことで、自分の口腔及び歯の健康状態をいつでも便利にチェックすることができ、異常がある場合は、素早く対応し、治療のゴールデンタイムを逸さない。
【考案を実施するための最良の形態】
【０００７】
図1が示すのは、本考案実施例Aの立体図である。連結棒10及び霧防止反射鏡セット20の検視本体1を含む照射ライトセット40である。該霧防止反射鏡セット20は第一霧防止反射鏡21及び第二霧防止反射鏡22を具有し、該第一霧防止反射鏡21は可撓性のある連結棒10の片端と連結し、該第二霧防止反射鏡22は回転可能且つ分解できる球型のジョイントを具有する連結棒10の別端と連結する。該照射ライトセット40は更に照射ライト41、バッテリー42及びスイッチ43を含み、該照射ライト41は該第一霧防止反射鏡21に設置している。
【０００８】
ユーザーは該連結棒10を持ち、その長さを調整してから、該連結棒10と該第一霧防止反射鏡21の角度及び、該連結棒10と該第二霧防止反射鏡22の角度を調整する。該第一霧防止反射鏡21を口腔内に入れ、照射ライトセット40のスイッチ43を入れると、該照射ライトセット40の照射ライト41は見たい口腔及び歯の方向を照らす。口腔及び歯の状況の映像を第一霧防止反射鏡21に反射し、該映像を該第一霧防止反射鏡21より該第二霧防止反射鏡22に反射し、更に第二霧防止反射鏡22よりユーザーの目に反射する。反射鏡の反射ルートはS10に示すとおりである。
【０００９】
図2が示すのは、本考案実施例Bの立体図である。固定した長さの連結棒10及び霧防止反射鏡セット20の検視本体1を含めた照射ライトセット40である。該霧防止反射鏡セット20は更に第一霧防止反射鏡21及び第二霧防止反射鏡22を含む。該第一霧防止反射鏡21を該連結棒10の片端に固定し、該第二霧防止反射鏡22を回転可能且つ分解可能の球型ジョイントを具有する該連結棒10の別端に連結する。該照射ライトセット40は他に照射ライト41、バッテリー42及びスイッチ43を具有し、該照射ライト41は該第一霧防止反射鏡21に設置する。
【００１０】
ユーザーは該連結棒10を持ち、該連結棒10と該第二霧防止反射鏡22の角度を調整する。該第一霧防止反射鏡21を口腔内に入れ、照射ライトセット40のスイッチ43を入れると、該照射ライトセット40の照射ライト41は見たい口腔及び歯の方向を照らす。口腔及び歯の状況の映像を第一霧防止反射鏡21に反射し、該映像を該第一霧防止反射鏡21より該第二霧防止反射鏡22に反射し、更に第二霧防止反射鏡22よりユーザーの目に反射する。反射鏡の反射ルートはS10に示すとおりである。
【００１１】
図3が示すのは、本考案実施例Cの立体図である。長さを伸縮できる連結棒10及び霧防止反射鏡セット20の検視本体1を含めた照射ライトセット40である。該霧防止反射鏡セット20は更に第一霧防止反射鏡21及び第二霧防止反射鏡22を含む。該第一霧防止反射鏡21を可撓性のある該連結棒10の片端に連結し、該第二霧防止反射鏡22を該連結棒10の別端に固定する。該照射ライトセット40は他に複数個の照射ライト41、バッテリー42及びスイッチ43を具有し、該照射ライト41は該第一霧防止反射鏡21に設置する。
【００１２】
ユーザーは該連結棒10を持ち、該連結棒10の長さを調整してから、該連結棒10と該第一霧防止反射鏡21の角度を調整する。該第一霧防止反射鏡21を口腔内に入れ、照射ライトセット40のスイッチ43を入れると、該照射ライトセット40の照射ライト41は見たい口腔及び歯の方向を照らす。口腔及び歯の状況の映像を第一霧防止反射鏡21に反射し、該映像を該第一霧防止反射鏡21より該第二霧防止反射鏡22に反射し、更に第二霧防止反射鏡22よりユーザーの目に反射する。反射鏡の反射ルートはS10に示すとおりである。
【００１３】
図4が示すのは、本考案実施例Dの立体図である。固定した長さの連結棒10及び霧防止反射鏡セット20の検視本体1を含めた照射ライトセット40である。該霧防止反射鏡セット20は更に第一霧防止反射鏡21及び第二霧防止反射鏡22を含む。該第一霧防止反射鏡21を回転可能且つ分解可能の球型ジョイントを具有する該連結棒10の片端に連結し、該第二霧防止反射鏡22を可撓性のある該連結棒10の別端に連結する。該照射ライトセット40は他に複数個の照射ライト41、バッテリー42及びスイッチ43を具有し、該照射ライト41は該第一霧防止反射鏡21に設置する。
【００１４】
ユーザーは該連結棒10を持ち、該連結棒10と該第一霧防止反射鏡21の角度及び、該連結棒10と該第二霧防止反射鏡22の角度を調整する。該第一霧防止反射鏡21を口腔内に入れ、照射ライトセット40のスイッチ43を入れると、該照射ライトセット40の照射ライト41は見たい口腔及び歯の方向を照らす。口腔及び歯の状況の映像を第一霧防止反射鏡21に反射し、該映像を該第一霧防止反射鏡21より該第二霧防止反射鏡22に反射し、更に第二霧防止反射鏡22よりユーザーの目に反射する。反射鏡の反射ルートはS10に示すとおりである。
【００１５】
以上の実施例による本考案の詳細な説明は本考案の範囲を制限するものではない。本技術に熟知する者は、固定構造の変更などの適当な変更および調整を行っても本考案の重要な意義は失われず、本考案の範囲に含まれる。
【図面の簡単な説明】
【００１６】
【図１】本考案実施例Aの立体図である。
【図２】本考案実施例Bの立体図である。
【図３】本考案実施例Cの立体図である。
【図４】本考案実施例Dの立体図である。
【符号の説明】
【００１７】
1  検視本体
10  連結棒
20  霧防止反射鏡セット
21  第一の霧防止反射鏡
22  第二の霧防止反射鏡
40  照射ライトセット
41  照射ライト
42  バッテリー
43  スイッチ
50  目
S10  反射鏡の反射ルート
【図１】
0003136096.tif 000003
【図２】
0003136096.tif 000004
【図３】
0003136096.tif 000005
【図４】
0003136096.tif 000006